(57)【要約】【課題】特定の目が外形から予測できない確率で出現すると共に、その他の目が均等な確率で出現するサイコロを提供する。【解決手段】サイコロ１Ａは、正多角形状の底面部Ｂ１及び、底面部Ｂ１に対向する頂点Ｖ１１を有し、正四面体を除く正多角錐の形状に形成されたサイコロである。サイコロ１Ａは、正多角錐の重心よりも頂点Ｖ１１の側又は底面部Ｂ１の側に位置し、かつ頂点Ｖ１１と底面部Ｂ１の中心とを結ぶ垂線Ｐが通る重心を有し、サイコロ１Ａの他の部分よりも比重が大きい錘部２０を備える。【選択図】図４
2020195762.tif 000002
【特許請求の範囲】
【請求項１】
正多角形状の底面及び、該底面に対向する頂点を有し、正四面体を除く正多角錐の形状に形成されたサイコロであって、
前記正多角錐の重心よりも前記頂点の側又は前記底面の側に位置し、かつ前記頂点と前記底面の中心とを結ぶ垂線が通る重心を有し、前記サイコロの他の部分よりも比重が大きい錘部を備えるサイコロ。
【請求項２】
前記正多角錐を前記底面と平行な平面で分割した場合の、前記平面よりも前記頂点の側の部分を形成する頂点部と、
前記平面よりも前記底面の側の部分を形成する底面部と、
を備え、
前記頂点部と前記底面部のいずれか一方は、前記錘部であり、前記頂点部と前記底面部のいずれか他方よりも比重が大きい、
請求項１に記載のサイコロ。
【請求項３】
前記正多角錐の外形を画定する外郭部を備え、
前記外郭部の内部には、前記錘部が配置されている、
請求項１に記載のサイコロ。
【請求項４】
前記錘部は、前記底面と平行な平面で切断した場合の断面視で、前記底面と相似形の形状又は、前記垂線を中心とする円の形状を有し、前記錘部の前記重心を前記垂線が通っている、
請求項１から３のいずれか１項に記載のサイコロ。
【発明の詳細な説明】
【技術分野】
【０００１】
本発明はサイコロに関する。
【背景技術】
【０００２】
ゲーム、占い等では、乱数を発生させる道具として、サイコロが用いられることがある。このようなサイコロには、様々な乱数を発生させるため、様々な形状のサイコロがある。
【０００３】
例えば、特許文献１には、正四角錐の形状を有するサイコロが開示されている。このサイコロでは、サイコロを振った結果、下面となる面に表示された、いわゆる賽の目（以下、単に目という）が出目であるとされている。或いは、最も上にある頂点に対応する目が出目であるとされている。
【０００４】
特許文献１に記載のサイコロでは、目それぞれを同じ確率で出現させるため、サイコロの各面に対する重心の立体角が揃えられている。
【０００５】
また、特許文献２には、六面体の形状を有するサイコロが開示されている。このサイコロは、目の出現確率を偏らせるため、六面体の面のうち、特定の面の面積を、その面に対向する面の面積よりも小さくしている。これにより、このサイコロは、特定の面の側が細い、先細りと呼ばれる形状を有する。その結果、特定の面に表示された目が出現しにくい。
【０００６】
特許文献３には、将棋の駒をサイコロとして使用する「まわり将棋」が開示されている。換言すると、特許文献３には、薄い五角柱の形状を有するサイコロが開示されている。
【先行技術文献】
【特許文献】
【０００７】
【特許文献１】米国特許出願公開第２０１８／０３０４１４７号明細書
【特許文献２】特許第４５６７２４８号公報
【特許文献３】特開２００９−１２５１８５号公報
【発明の概要】
【発明が解決しようとする課題】
【０００８】
ところで、コンピュータゲームでは、クリティカルポイント又は、クリティカルヒット（以下、単にクリティカルポイントという）と呼ばれる、ゲームの展開を決定する乱数のうち、出現確率が低い乱数が急に出現しやすくなることにより、そのゲームの展開が変化するときがある。
【０００９】
このようなクリティカルポイントが、ボードゲーム、カードゲームで起こると、その意外性からゲーム性が高まると考えられる。すなわち、特定の目だけが他の目と異なる確率で出現するサイコロを用いて、ボードゲーム、カードゲームを行うとすれば、その特定の目が出現したときに、予想外の目が出現したことによりゲームの展開が変化して、ゲーム性が高まると考えられる。
【００１０】
しかし、特許文献１に記載のサイコロでは、目それぞれの出現確率が均等である。このため、特定の目だけが他の目と異なる確率で出現しない。
【００１１】
また、特許文献２に記載のサイコロは、上記特定の面に表示された目が出現しにくいものの、その特定の面に対向する面に表示された目が出現しやすい。また、その他の面に表示された目は、これらの目と出現確率が異なる。その結果、特定の目だけが他の目と異なる確率で出現するものの、他の目同士の出現確率が同じでない。また、外形からどの目が出現しにくいのか予測可能であり、その目の出現に意外性がない。
【００１２】
特許文献３に記載のサイコロ、すなわち、将棋の駒では、表と裏が同じ確率で出現することから、特定の目だけが他の目と異なる確率で出現しない。また、駒の外形から、特許文献２と同様に、どの目が出現しにくいのか予測可能である。その結果、特定の目が出現しても意外性がない。
【００１３】
本発明は上記の課題を解決するためになされたもので、特定の目が外形から予測できない確率で出現すると共に、その他の目が均等な確率で出現するサイコロを提供することを目的とする。
【課題を解決するための手段】
【００１４】
上記の目的を達成するため、本発明に係るサイコロは、
正多角形状の底面及び、該底面に対向する頂点を有し、正四面体を除く正多角錐の形状に形成されたサイコロであって、
前記正多角錐の重心よりも前記頂点の側又は前記底面の側に位置し、かつ前記頂点と前記底面の中心とを結ぶ垂線が通る重心を有し、前記サイコロの他の部分よりも比重が大きい錘部を備えることを特徴とする。
【００１５】
例えば、前記サイコロは、
前記正多角錐を前記底面と平行な平面で分割した場合の、前記平面よりも前記頂点の側の部分を形成する頂点部と、
前記平面よりも前記底面の側の部分を形成する底面部と、
を備え、
前記頂点部と前記底面部のいずれか一方は、前記錘部であり、前記頂点部と前記底面部のいずれか他方よりも比重が大きくても良い。
【００１６】
或いは、前記サイコロは、前記正多角錐の外形を画定する外郭部を備え、
前記外郭部の内部には、前記錘部が配置されていても良い。
【００１７】
前記錘部は、前記底面と平行な平面で切断した場合の断面視で、前記底面と相似形の形状又は、前記垂線を中心とする円形の形状を有し、前記錘部の前記重心を前記垂線が通っていても良い。
【発明の効果】
【００１８】
本発明の構成によれば、サイコロが正四面体を除く正多角錐の形に形成されているので、側面同士では、それら側面に対応する目の出現確率が均一である。また、サイコロが、正多角錐の重心よりも頂点の側又は底面の側に位置し、かつ頂点と底面の中心とを結ぶ垂線が通る重心を有する錘部を備えるので、底面に対応する目が外形から予測できない確率で出現する。
【図面の簡単な説明】
【００１９】
【図１】本発明の実施の形態１に係るサイコロの斜視図である。
【図２】実施の形態１に係るサイコロの正面図である。
【図３】実施の形態１に係るサイコロの底面図である。
【図４】図３に示すＩＶ−ＩＶ切断線の断面図である。
【図５Ａ】実施の形態１に係るサイコロの製造方法において、芯部形成工程と錘部形成工程で材料を充填するときの充填箇所を示す斜視図である。
【図５Ｂ】芯部形成工程の変形例で材料を充填するときの充填箇所を示す断面図である。
【図６】実施の形態２に係るサイコロの斜視図である。
【図７】実施の形態２に係るサイコロの正面図である。
【図８】実施の形態２に係るサイコロの底面図である。
【図９】図８に示すＩＸ−ＩＸ切断線の断面図である。
【図１０Ａ】実施の形態２に係るサイコロの変形例の断面図である。
【図１０Ｂ】実施の形態２に係るサイコロの別の変形例の断面図である。
【図１１】実施の形態３に係るサイコロの斜視図である。
【図１２】実施の形態３に係るサイコロの正面図である。
【図１３】実施の形態３に係るサイコロの底面図である。
【図１４】図１３に示すＸＩＶ−ＸＩＶ切断線の断面図である。
【図１５Ａ】実施の形態３に係るサイコロの変形例の断面図である。
【図１５Ｂ】実施の形態３に係るサイコロの別の変形例の断面図である。
【図１５Ｃ】実施の形態３に係るサイコロのさらに別の変形例の断面図である。
【発明を実施するための形態】
【００２０】
以下、本発明の実施の形態に係るサイコロについて図面を参照して詳細に説明する。なお、図中、同一又は同等の部分には同一の符号を付す。図に示す直交座標系ＸＹＺにおいて、サイコロが有する正多角形状の底面の下に向け、その向きの特定の側面を正面に向けたときの左右方向をＸ方向、上下方向をＺ方向、Ｚ軸とＸ軸とに直交する方向がＹ軸である。以下、適宜、この座標系を引用して説明する。
【００２１】
（実施の形態１）
実施の形態１に係るサイコロは、トランプカードゲームのカードの選択に使用されるサイコロである。このサイコロでは、サイコロを振って下を向いた面に表示された、いわゆる賽の目を出目とするため、各面にマークが表示されている。まず、図１−図４を参照して、サイコロの構成について説明し、続いて、図５Ａ及び図５Ｂを参照して、そのサイコロの製造方法について説明する。
【００２２】
なお、賽の目とは、一般にはサイコロの各面に表示された１−６の点のことをいうが、本明細書では、賽の目とは、サイコロの各面に表示された図形、文字、数字のことをいうものとする。以下の説明では、賽の目のことを単に目という。また、出目とは、サイコロを振って出た目のことである。
【００２３】
図１−図３は、実施の形態１に係るサイコロ１Ａの斜視図、正面図、底面図である。
【００２４】
図１−図３に示すように、サイコロ１Ａは、正四角錐状に形成されている。これにより、サイコロ１Ａは、二等辺三角形状の側面部Ｆ１１−Ｆ１４と、正四角形状の底面部Ｂ１と、を備える。
【００２５】
側面部Ｆ１１−Ｆ１４は、サイコロ１Ａが正四角錐の形状であるため、互いに同じ形状、同じ面積を有する。また、側面部Ｆ１１−Ｆ１４は、図２に示すサイコロ１Ａの頂点Ｖ１１と底面部Ｂ１の中心Ｃ（すなわち、底面部Ｂ１の形状である正四角形の重心）を結ぶ、底面部Ｂ１の垂線Ｐに対する相対的位置が同じである。そして、側面部Ｆ１１−Ｆ１４には、サイコロ１Ａの目として、スペード、ハート、ダイヤ、クラブのトランプの各マークが表示されている。これにより、トランプの各マークの目は、サイコロ１Ａを振ったときに、均等な確率で出現する。
【００２６】
一方、底面部Ｂ１は、上述した正四角形状であるため、側面部Ｆ１１−Ｆ１４と形状、面積が異なっている。さらに、垂線Ｐに対する位置関係が側面部Ｆ１１−Ｆ１４と異なっている。そして、底面部Ｂ１には、図３に示すように、「Ｊｏｋｅｒ」の文字がサイコロ１Ａの目として表示されている。これにより、サイコロ１Ａを振ったときに、「Ｊｏｋｅｒ」の目が、側面部Ｆ１１−Ｆ１４に表示されたトランプの各マークの目と異なる確率で出現する。
【００２７】
このように、サイコロ１Ａでは、サイコロ１Ａを振ったときに、トランプの各マークの目が均等な確率で出現し、「Ｊｏｋｅｒ」の目がそれらの目と異なる確率で出現する。従って、「Ｊｏｋｅｒ」の目が出現すると、その目が上述したクリティカルポイントを起こす出目となりうる。
【００２８】
しかし、図１に示すように、サイコロ１Ａの底辺ＢＡは、サイコロ１Ａの高さＨの半分未満である。すなわち、サイコロ１Ａは倒れやすい形状である。このため、底面部Ｂ１に示された「Ｊｏｋｅｒ」の目の出現確率が低いことが、サイコロ１Ａの外形から予測できてしまう。その結果、「Ｊｏｋｅｒ」の目が出現しないことに意外性がない。
【００２９】
そこで、「Ｊｏｋｅｒ」の目の出現確率に意外性を持たせるため、サイコロ１Ａの内部には後述する錘部２０が設けられている。続いて、図４を参照して、サイコロ１Ａの内部の構造について説明する。
【００３０】
図４は、図３に示すＩＶ−ＩＶ切断線の断面図である。なお、ＩＶ−ＩＶ切断線は、図４でサイコロ１Ａの重心ＣＧ０を示すために、サイコロ１Ａの底面部Ｂ１の中心Ｃを通っている。
【００３１】
図４に示すように、側面部Ｆ１１−Ｆ１４と底面部Ｂ１は、板部材によって形成され、その結果、壁状である。これにより、側面部Ｆ１１−Ｆ１４と底面部Ｂ１は、サイコロ１Ａの外形を画定している。そして、その内部空間には、芯部１０と錘部２０が設けられている。
【００３２】
上述した内部空間は、正四角錐状に形成されている。芯部１０は、この正四角錐状の内部空間を水平面、すなわち、図４に示すＸＹ平面に平行な平面ＰＬで分割した場合の上側分割空間Ｕと同じ形状に形成されている。これにより、芯部１０は、正四角錐状である。そして、芯部１０は、その上側分割空間Ｕに配置され、その上側分割空間Ｕを充填している。
【００３３】
これに対して、錘部２０は、上述した内部空間を平面ＰＬで仕切った場合の下側分割空間Ｌと同じ形状に形成されている。これにより、錘部２０は、四角錐台状である。錘部２０は、その下側分割空間Ｌに配置され、下側分割空間Ｌを充填している。
【００３４】
芯部１０と錘部２０は、それぞれ均一な材料で形成されている。これにより、芯部１０の重心ＣＧ１と錘部２０の重心ＣＧ２が上述した垂線Ｐ上に位置する。その結果、サイコロ１Ａが振られてサイコロ１Ａが倒れたときに、側面部Ｆ１１−Ｆ１４に表示されたトランプの各マークの目が均等な確率で出現する。
【００３５】
一方、目の出現確率に意外性を持たせるため、錘部２０は、芯部１０よりも比重が大きい。一般に、正四角錐の重心ＣＧは、正四角錐の高さがＨである場合、正四角錐の底から高さＨ／４の位置にある。サイコロ１Ａも正四角錐であるため、サイコロ１Ａの重心ＣＧ０も、底面部Ｂ１から高さＨ／４の位置にあることになる。
【００３６】
しかし、上述したように、錘部２０は、芯部１０よりも比重が大きい。このため、サイコロ１Ａの重心ＣＧ０は、正四角錐本来の重心ＣＧよりも下に位置する。すなわち、重心ＣＧ０は、正四角錐本来の重心ＣＧよりも底面部Ｂ１側にある。その結果、底面部Ｂ１に表示されている「Ｊｏｋｅｒ」の目の出現確率が、正四角錐それ自体の形状から予測される出現確率よりも高い。
【００３７】
例えば、垂線Ｐを倒す、又は起こす方向に働く回転力を加えてサイコロ１Ａを振ることにより、「Ｊｏｋｅｒ」の目が出現しやすくすることができる。これにより、「Ｊｏｋｅｒ」の目が上述したクリティカルポイントを起こす出目とすることができる。
【００３８】
次に、図５Ａ及び図５Ｂを参照して、サイコロ１Ａの製造方法について説明する。
【００３９】
図５Ａは、サイコロ１Ａの製造方法において、芯部形成工程と錘部形成工程で材料を充填するときの充填箇所を示す斜視図である。図５Ｂは、芯部形成工程の変形例で材料を充填するときの充填箇所を示す断面図である。なお、図５Ｂは、図４と同じ位置にある切断線で切断したときのサイコロ１Ａの断面を示している。
【００４０】
まず、図５Ａに示す、中空かつ底が開口した正四角錐状の枠体３０を作製する。詳細には、例えば、木材、又は合成樹脂で側面部Ｆ１１−Ｆ１４を上述した形状に形成する。そして、その側面部Ｆ１１−Ｆ１４を上述した位置に配置する。これにより、図５Ａに示す枠体３０を作製する。
【００４１】
次に、枠体３０内の頂点側に芯部１０を形成する。詳細には、まず、芯部１０の材料となるポリプロピレン、ポリエチレンテレフタレート等の熱可塑性樹脂を用意する。そして、用意した熱可塑性樹脂を溶融させる。続いて、作製した枠体３０の底側を上に向け、溶融させた熱可塑性樹脂を、図５Ａの矢印Ａに示すように、その枠体３０の中に流し込む。この熱可塑性樹脂の流し込みは、上述した平面ＰＬが枠体３０の内部空間を水平に仕切る位置まで行う。続いて、枠体３０の向きをそのままにして、流し込んだ熱可塑性樹脂を冷却して凝固させる。これにより、芯部１０が形成される。また、芯部１０が枠体３０内の頂点側に充填される。
【００４２】
次に、枠体３０内の底側に錘部２０を形成する。詳細には、まず、芯部１０の材料と同じ熱可塑性樹脂を用意し、その熱可塑性樹脂を溶融させると共に、密度を高めるため、その熱可塑性樹脂にフィラーを混ぜる。例えば、熱可塑性樹脂よりも密度が高いガラスビーズ、ガラスファイバー等のフィラーを熱可塑性樹脂に混ぜる。そして、枠体３０の底側を上に向けた状態で、その枠体３０にフィラーが混ざった熱可塑性樹脂を流し込む。このとき、枠体３０の底面部Ｂ１に達するまで熱可塑性樹脂を流し込む。そして、その状態のまま、流し込んだ熱可塑性樹脂を凝固させる。これにより、芯部１０よりも比重が大きい錘部２０が形成される。また、錘部２０が枠体３０内の底側に充填される。
【００４３】
次に、芯部１０と錘部２０が形成された枠体３０の底側を、図示しない底面部Ｂ１によって封鎖する。このとき、接着剤を用いて底面部Ｂ１を枠体３０に固定する。なお、ひずみを小さくするため、側面部Ｆ１１−Ｆ１４と同じ材料で形成した底面部Ｂ１を用いると良い。
【００４４】
次に、側面部Ｆ１１−Ｆ１４と底面部Ｂ１に必要に応じてカーボンコーティング等の表面処理、塗装、又はラッピングを施し、さらに、側面部Ｆ１１−Ｆ１４と底面部Ｂ１に上述したスペード、ハート、ダイヤ、クラブの各マークと「Ｊｏｋｅｒ」の文字を印刷する。以上の工程により、サイコロ１Ａが完成する。
【００４５】
なお、上述した側面部Ｆ１１−Ｆ１４と底面部Ｂ１は、サイコロ１Ａの外形を画定する部分であり、特許請求の範囲でいうところの外郭部である。本明細書では、側面部Ｆ１１−Ｆ１４と底面部Ｂ１のことを外郭部ともいう。
【００４６】
また、上記説明では、溶融した熱可塑性樹脂を流し込むことにより、芯部１０と錘部２０を形成しているが、上述した形状に形成した芯部１０と錘部２０を枠体３０に嵌め込んでも良い。
【００４７】
また、図５Ｂに示すように、側面部Ｆ１１−Ｆ１４と芯部１０が一体化した形状の枠体３５に、上述したフィラーが混ざった熱可塑性樹脂を流し込んで錘部２０を形成しても良い。また、枠体３５に、上述した形状に形成した錘部２０を嵌め込んでも良い。
【００４８】
以上のように、実施の形態１に係るサイコロ１Ａは、正四角錐状に形成され、その内部に芯部１０と錘部２０が配置されている。そして、芯部１０の重心ＣＧ１と錘部２０の重心ＣＧ２は、頂点Ｖ１１と底面部Ｂ１の中心Ｃを結ぶ垂線Ｐが通る位置に設けられている。このため、サイコロ１Ａが振られて、垂線Ｐが倒れる状態となったときに、側面部Ｆ１１−Ｆ１４に表示された目が均等な確率で出現する。
【００４９】
また、サイコロ１Ａでは、錘部２０が芯部１０よりも比重が大きく、さらに錘部２０が芯部１０よりも底面部Ｂ１側に配置されている。このため、サイコロ１Ａが振られたときに、内部に錘部２０がない芯部１０だけのサイコロと比較して、底面部Ｂ１に表示された目が出やすい。その結果、底面部Ｂ１の目は、サイコロ１Ａの外観から予測できない確率で出現する。これにより、サイコロ１Ａでは、サイコロ１Ａを振って底面部Ｂ１の目が出現した場合をクリティカルポイントとすることができる。
【００５０】
（実施の形態２）
実施の形態１では、サイコロ１Ａが正四角錐状であるが、本発明はこれに限定されない。本発明では、特定の目をその他の目と異なる確率で出現させるため、かつ、その他の目を均等な確率で出現させるために、サイコロ１Ａは、正四面体を除く正多角錐の形状に形成されていれば良い。実施の形態２に係るサイコロ１Ｂは、その正多角錐のうちの、正三角錐の形状に形成されたサイコロである。以下、図６−図９、図１０Ａ及び図１０Ｂを参照して、実施の形態２に係るサイコロ１Ｂについて説明する。実施の形態２では、実施の形態１と異なる構成について説明する。
【００５１】
図６−図８は、実施の形態２に係るサイコロ１Ｂの斜視図、正面図、底面図である。図９は、図８に示すＩＸ−ＩＸ切断線の断面図である。図１０Ａと図１０Ｂは、サイコロ１Ｂの変形例と別の変形例の断面図である。なお、図１０Ａと図１０Ｂは、図９と同じ位置にある切断線で切断したときのサイコロ１Ｂの断面を示している。
【００５２】
図６−図８に示すように、サイコロ１Ｂは、４種類のくじのいずれかを選択させるおみくじに用いられるサイコロである。このため、サイコロ１Ｂは、４つの面を備える正三角錐の外形を有する。
【００５３】
詳細には、サイコロ１Ｂは、二等辺三角形状の側面部Ｆ２１−Ｆ２３と、正三角形状の底面部Ｂ２と、を備える。側面部Ｆ２１−Ｆ２３は、一辺の長さが底面部Ｂ２の底辺ＢＡと同じ正三角形よりも、高さが低い二等辺三角形状に形成されている。これに対して、底面部Ｂ２は、上記底辺ＢＡを一辺とする正三角形状に形成されている。
【００５４】
側面部Ｆ２１−Ｆ２３と底面部Ｂ２の、各頂点Ｖ２１−Ｖ２４近傍には、サイコロ１Ｂの出目を示すための、大吉、吉、小吉、凶のくじのうちのいずれかが表示されている。例えば、図６及び図７に示すように、側面部Ｆ２１の、頂点Ｖ２１の近傍には、目として吉の文字が表示されている。サイコロ１Ｂは、正三角錐の外形のため、サイコロ１Ｂを振ったときに下を向く面があっても上を向く面がない。そこで、サイコロ１Ｂでは、どの頂点が上を向くかを出目としている。大吉、吉、小吉、凶の表示は、この出目を示すために設けられている。
【００５５】
サイコロ１Ｂでは、側面部Ｆ２１−Ｆ２３と底面部Ｂ２が上述した形状であることから、底面部Ｂ２が下を向きやすい。これにより、上を向く頂点Ｖ２１が出目となりやすい。その結果、上述した吉が出目となりやすい。
【００５６】
しかし、図６−図８に示すように、サイコロ１Ｂでは、側面部Ｆ２１−Ｆ２３の面積が底面部Ｂ２のそれよりもやや小さいだけである。このため、サイコロ１Ｂを振ったとき、吉の目が出現しやすいものの、大吉、小吉、凶の目もある程度の確率で出現するものと予測される。その結果、サイコロ１Ｂを振って大吉、小吉、凶の目が出現しても、出目に意外性があまりない。
【００５７】
そこで、出目に意外性を持たせるため、サイコロ１Ｂは、図９に示すように、頂点Ｖ２１側に配置された頂点ブロック４０と、底面部Ｂ２側に配置された底面ブロック５０と、を備え、それらのブロックのうち、底面ブロック５０が頂点ブロック４０よりも重い。
【００５８】
頂点ブロック４０は、サイコロ１Ｂの外形である正三角錐を底面に平行な平面ＰＬで分割したときの、その頂点側の正三角錐と同じ外形を有する。その材料は、例えば、熱可塑性樹脂である。
【００５９】
これに対して、底面ブロック５０は、サイコロ１Ｂ外形の正三角錐を平面ＰＬで分割したときの、底面側の三角錐台と同じ外形を有する。その材料は、例えば、密度を高めるため、頂点ブロック４０の材料と同じ熱可塑性樹脂にガラスフィラーを混ぜた樹脂である。そして、頂点ブロック４０は、その底面が底面ブロック５０の上面に当接した状態で、底面ブロック５０に接着されている。
【００６０】
頂点ブロック４０と底面ブロック５０は、共に全体が均一な材料で形成され、中実である。これにより、頂点ブロック４０の重心ＣＧ４と底面ブロック５０の重心ＣＧ５は、頂点Ｖ２１と底面部Ｂ２の中心Ｃ（すなわち、底面部Ｂ２の形状である正三角形の重心）を結ぶ垂線Ｐを通る位置にある。その結果、サイコロ１Ｂを振ったときに、頂点Ｖ２２−Ｖ２４の目が互いに均等な確率で出現する。すなわち、大吉、小吉、凶の目が互いに均等な確率で出現する。
【００６１】
また、底面ブロック５０は、頂点ブロック４０よりも比重が大きい。そして、底面ブロック５０は、頂点ブロック４０よりも体積が大きい。その結果、底面ブロック５０は、頂点ブロック４０よりも重い。このため、サイコロ１Ｂを振ったときに、底面ブロック５０が頂点ブロック４０よりも下に位置しやすく、頂点Ｖ２１が上を向きやすい。これにより、サイコロ１Ｂの外形から予測される確率よりも、吉の目が出現する確率が高い。その結果、吉以外の目が相対的に出現する確率が低く、サイコロ１Ｂでは、吉以外の目をクリティカルポイントとすることができる。
【００６２】
なお、上述した頂点ブロック４０は、特許請求の範囲でいうところの頂点部のことである。また、底面ブロック５０は、特許請求の範囲でいうところの底面部のことである。さらに、底面ブロック５０は、後述するように頂点ブロック４０よりも重いので、錘部ともいう。
【００６３】
また、底面ブロック５０は、三角錐台の形状であるが、図１０Ａに示すように、サイコロ１Ｂの底面形状の板、すなわち、正三角形状の板であっても良い。この場合、底面ブロック５０は、頂点ブロック４０が木材又は合成樹脂で形成されているときには、その合成樹脂よりも密度が高い鉄鋼、銅合金等の金属で形成されていると良い。
【００６４】
例えば、底面ブロック５０が鉄で形成されている場合、図１０Ｂに示すように、頂点ブロック４０の底に埋められた磁石４５によって底面ブロック５０が頂点ブロック４０に取り付けられても良い。この場合、磁石４５の重心は、上記垂線Ｐが通る位置であると良い。例えば、磁石４５が円板状に形成され、その中心軸が垂線Ｐと線上にあると良い。
【００６５】
このような形態であれば、サイコロ１Ｂは、底面ブロック５０が着脱可能であるため、底面ブロック５０を外した状態と底面ブロック５０を着けた状態の２つの状態で使用することができる。また、磁石４５は、フェライト磁石、ネオジム磁石等の鉄を含む場合、頂点ブロック４０が木材又は合成樹脂で形成されているのであれば、それら木材又は合成樹脂よりも比重が大きい。このため、サイコロ１Ｂは、底面ブロック５０を外した状態で使用しても、吉の目が出現する確率をその外形から予測される確率よりも高くすることができる。
【００６６】
以上のように、実施の形態２に係るサイコロ１Ｂは、頂点ブロック４０と底面ブロック５０が組み合わされて形成されている。そして、頂点ブロック４０の重心ＣＧ４と底面ブロック５０の重心ＣＧ５は、頂点Ｖ２１と底面部Ｂ２の中心Ｃを結ぶ垂線Ｐが通る位置に配置されている。このため、サイコロ１Ｂを振ったときに、頂点Ｖ２２−Ｖ２４の目が互いに均等な確率で出現する。
【００６７】
また、サイコロ１Ｂでは、底面ブロック５０が頂点ブロック４０よりも比重が大きいので、サイコロ１Ｂと同形のサイコロと比較して、重心が底面部Ｂ２側に位置する。このため、底面部Ｂ２と対向する頂点Ｖ２１の目が出やすい。その結果、サイコロ１Ｂでは、サイコロ１Ｂの外観から予測できない確率で、頂点Ｖ２１の目が出現する。
【００６８】
（実施の形態３）
上述したように、本発明では、サイコロ１Ａは、正四面体を除く正多角錐の形状に形成されていれば良い。実施の形態３に係るサイコロ１Ｃは、その正多角錐のうちの、正六角錐の形状に形成されたサイコロである。以下、図１１−図１４、図１５Ａ及び図１５Ｂを参照して、実施の形態３に係るサイコロ１Ｃについて説明する。実施の形態３では、実施の形態１及び２と異なる構成について説明する。
【００６９】
図１１−図１３は、実施の形態３に係るサイコロ１Ｃの斜視図、正面図、底面図である。図１４は、図１３に示すＸＩＶ−ＸＩＶ切断線の断面図である。図１５Ａと図１５Ｂは、サイコロ１Ｃの変形例と別の変形例の断面図である。図１５Ｃは、サイコロ１Ｃのさらに別の変形例である。なお、図１５Ａ−図１５Ｃは、図１４と同じ位置の切断線で切断したときのサイコロ１Ｃの断面を示している。
【００７０】
図１１−図１３に示すように、サイコロ１Ｃは、１から７までの数を選択させるボードゲームに用いられるサイコロである。このため、サイコロ１Ｃは、７つの面を備える正六角錐状である。
【００７１】
詳細には、サイコロ１Ｃは、図１１に示す高さＨＴが底辺ＢＡよりも倍以上に長い細長い二等辺三角形の形状に形成された側面部Ｆ３１−Ｆ３６と、その底辺ＢＡを一辺とする正六角形の形状に形成された底面部Ｂ３と、を備える。
【００７２】
側面部Ｆ３１−Ｆ３６には、図１１−図１３に示すように、１から６のいずれかの数だけ点が表示されている。側面部Ｆ３１−Ｆ３６に表示された点の数は、サイコロ１Ｃを振ってその面が上を向いたときの出目を示している。また、底面部Ｂ３には、７つの点が表示されている。底面部Ｂ３の７つの点は、サイコロ１Ｃを振って底面部Ｂ３が下を向き、かつ底面部Ｂ３と対向する頂点Ｖ３１が上を向いたときの出目である７の目を示している。
【００７３】
サイコロ１Ｃは、図１１に示すように、実施の形態１に係るサイコロ１Ａと同様に、底辺ＢＡが高さＨよりも十分に小さく、倒れやすい形状である。このため、底面部Ｂ３に示された７の目が出現しにくいことがサイコロ１Ｃの外形から予測できる。その結果、７の目が出現しないことに意外性がない。
【００７４】
そこで、サイコロ１Ｃは、７の目を出現しやすくして、その目の出現に意外性を持たせるため、図１４に示すように、底面部Ｂ３にネジ留めされた錘板６０を備える。
【００７５】
底面部Ｂ３には、錘板６０を入れるための凹部６１が形成されている。図示しないが、凹部６１は、頂点Ｖ３１と底面部Ｂ３の中心Ｃ（すなわち、底面部Ｂ３の外形である正六角形の重心）を結ぶ垂線Ｐと同軸の円筒の形状に形成されている。
【００７６】
これに対して、錘板６０は、図１４に示す凹部６１の深さＤとほぼ同じ厚みＴ、かつ凹部６１とほぼ同径の円板である。そして、錘板６０は、凹部６１に嵌め込まれている。側面部Ｆ３１−Ｆ３６及び底面部Ｂ３を形成するサイコロ１Ｃの本体は、合成樹脂で形成されているところ、錘板６０は、鉄鋼、銅合金等の金属で形成されている。これにより、錘板６０は、サイコロ１Ｃの本体より比重が大きい。
【００７７】
錘板６０は、錘板６０と同軸の円柱状に形成されたネジ部６２を有する。一方、凹部６１の底面視の中心には、垂線Ｐと同軸のネジ孔６３が形成されている。ネジ部６２は、このネジ孔６３に締結されている。これにより、ネジ部６２は、錘板６０をサイコロ１Ｃの本体に固定している。
なお、図１４に示す小凹部６４は、ドライバー等の工具先端又はコインの端面を挿入して、錘板６０と共にネジ部６２を回動させるために設けられている。
【００７８】
このように、錘板６０は、垂線Ｐと同軸の円板である。このため、錘板６０の重心は、垂線Ｐが通る位置にある。これにより、サイコロ１Ｃを振ってサイコロ１Ｃが倒れたときに、側面部Ｆ３１−Ｆ３６の目が出現する確率にほとんど影響を与えない。その結果、側面部Ｆ３１−Ｆ３６の目は、互いに均等な確率で出現する。
【００７９】
また、底面部Ｂ３に比重が大きい錘板６０が配置されている。このため、サイコロ１Ｃは、錘板６０がないサイコロと比較して、重心が底面部Ｂ３側にある。その結果、サイコロ１Ｃは、振られたときに、底面部Ｂ３が下に位置する、起立した状態になりやすい。その結果、底面部Ｂ３の目が出現しやすい。これにより、サイコロ１Ｃでは、底面部Ｂ３の目をクリティカルポイントとすることができる。
【００８０】
なお、上述した錘板６０は、特許請求の範囲でいうところの錘部のことであり、本明細書では、単に錘部ともいう。
【００８１】
また、サイコロ１Ｃが、錘板６０を備えているが、サイコロ１Ｃは、この錘板６０に換えて、多角錐状に形成され、サイコロ１Ｃの本体より比重が大きい錘部材７０を備えても良い。例えば、サイコロ１Ｃは、図１５Ａに示す正六角錐状に形成された錘部材７０を備えても良い。この場合、錘部材７０は、サイコロ１Ｃの外形と相似形かつ縮小形であると良い。また、錘部材７０の側面がサイコロ１Ｃの側面部Ｆ３１−Ｆ３６と平行であり、錘部材７０の中心軸が垂線Ｐと同軸であると良い。そして、底面部Ｂ３に、錘部材７０が嵌合可能な正六角錐状の凹部７１が形成され、その凹部７１に錘部材７０が嵌め込まれると良い。なお、図１５Ａに示すように、凹部７１の開口部に、凹部７１よりもドライバー等の工具先端が挿入可能な程度に大きい円筒状の挿入口６５を設け、その挿入口６５に工具先端を挿入して錘部材７０を着脱可能にしても良い。
【００８２】
さらに、サイコロ１Ｃは、錘板６０に換えて、図１５Ｂに示すように、円柱状に形成され、サイコロ１Ｃの本体より比重が大きい錘部材８０を備えても良い。この場合、底面部Ｂ３に垂線Ｐと同軸な円筒の形状の凹部８１が形成され、錘部材８０がその凹部８１に嵌合していると良い。なお、錘部材８０は、比重が大きい合成樹脂、金属等を凹部８１に嵌合可能な形状に作製した後、その作製された錘部材８０を嵌めあわせても良いし、凹部８１にフィラー入りの熱可塑性樹脂を流し込んで錘部材８０を形成しても良い。なお、上述した錘部材７０と錘部材８０は、特許請求の範囲でいうところの錘部のことであり、本明細書では錘部ともいう。
【００８３】
図１４に戻って、錘板６０の厚みＴは、凹部６１の深さＤとほぼ同じであるが、凹部６１の深さＤよりも小さくしても良い。この場合、ネジ部６２による固定位置を調整することにより、錘板６０の位置を垂線Ｐ方向にずらすことができる。その結果、出目の出現確率を調整することができる。
【００８４】
また、ネジ部６２そのものの比重をサイコロ１Ｃの本体よりも高くすることにより、錘板６０が省略されても良い。すなわち、サイコロ１Ｃが錘板６０を備えないで、ネジ部６２だけ備えていても良い。この場合、ネジ部６２は、イモネジ、止めネジ、セットスクリュー等の名称で呼ばれるすりわり付き止めネジであると良い。そして、底面部Ｂ３には、凹部６１が形成されずに、ネジ孔６３だけが形成されていると良い。このとき、ネジ孔６３は、ネジ部６２よりも深く形成され、ネジ孔６３内で、ネジ部６２の締結位置が調整可能であると良い。このような形態であれば、ネジ部６２の位置をネジ孔６３の軸方向、すなわち、垂線Ｐ方向にずらすことにより、出目の出現確率を調整することができる。
【００８５】
また、ネジ部６２は、錘板６０に設けられているが、図１５Ｃに示すように、サイコロ１Ｃの本体それ自体に設けられていても良い。この場合、サイコロ１Ｃの内部に、錘板６０が収容可能な空洞９１が形成され、その空洞９１に上述した垂線Ｐと同軸にネジ部６２が配置されていると良い。そして、錘板６０に同軸のネジ孔９２が形成され、そのネジ孔９２にネジ部６２が締結されると良い。また、底面部Ｂ３は、サイコロ１Ｃの本体から取り外し可能又は開閉可能であると良い。このような形態であれば、底面部Ｂ３を取り外して、或いは、底面部Ｂ３を開いて、錘板６０を回動させることにより、錘板６０の位置を垂線Ｐ方向に変更することができる。その結果、出目の出現確率を調整することができる。
【００８６】
以上のように、実施の形態３に係るサイコロ１Ｃは、底面部Ｂ３側に配置され、比重が大きい錘板６０を備えているので、サイコロ１Ｃと同形のサイコロと比較して、底面部Ｂ３の目が出やすい。その結果、外観から予測できない確率で、底面部Ｂ３の目が出現する。
【００８７】
また、錘板６０は、ネジ部６２によってサイコロ１Ｃの本体に取り付けられている。このため、サイコロ１Ｃは、錘板６０を取り外した状態でも使用することができる。
【００８８】
以上、本発明の実施の形態について説明したが、本発明はこれに限定されない。例えば、実施の形態１−３では、サイコロ１Ａ−１Ｃが正四角錐、正三角錐、正六角錐に形成されている。しかし、本発明はこれに限定されない。上述したように、本発明では、正四面体を除く正多角錐の形状に形成されていれば良い。このため、サイコロ１Ａ−１Ｃは、実施の形態１−３で説明した以外の正多角錐の形状であっても良い。
【００８９】
実施の形態１−３では、比重が大きい錘部２０、底面ブロック５０、錘板６０及び錘部材７０、８０が底面部Ｂ１−Ｂ３側に配置されている。しかし、本発明はこれに限定されない。本発明では、錘部２０、底面ブロック５０、錘板６０と称される錘部が、サイコロ１Ａ−１Ｃの外形の正多角錐本来の重心よりも、頂点Ｖ１１、Ｖ２１、Ｖ３１の側又は、底面部Ｂ１−Ｂ３の側に位置する重心を備えていれば良い。さらに、その錘部の重心は、頂点Ｖ１１、Ｖ２１、Ｖ３１と底面部Ｂ１−Ｂ３の中心（すなわち、底面部Ｂ１−Ｂ３の重心）とを結ぶ垂線Ｐが通る位置にあれば良い。従って、例えば、錘部２０が頂点Ｖ１１の側に配置されていても良い。また、実施の形態２で説明した底面ブロック５０の比重が小さく、頂点ブロック４０のほうが、底面ブロック５０よりも比重が大きくても良い。
【００９０】
実施の形態１と２では、芯部１０と頂点ブロック４０が熱可塑性樹脂で形成され、錘部２０と底面ブロック５０がフィラー入りの熱可塑性樹脂で形成されている。また、実施の形態３では、サイコロ１Ｃの本体が合成樹脂で形成され、錘板６０及び錘部材７０、８０が金属で形成されている。しかし、本発明はこれに限定されない。錘部２０、底面ブロック５０、錘板６０及び錘部材７０、８０は、サイコロ１Ａ−１Ｃのその他の部分よりも比重が大きい限りにおいて、各部の材料は任意である。例えば、サイコロ１Ａに設けられた空洞が芯部１０であっても良い。すなわち、芯部１０の材料は、空気であっても良い。なお、熱可塑性樹脂は、ポリプロピレン、ポリエチレンテレフタレートの他、アクリル樹脂、ポリエチレン、ポリカーボネート等であっても良い。また、合成樹脂は、上記熱可塑性樹脂のほか、エポキシ樹脂であっても良い。金属は、鉄鋼、銅合金のほか、アルミニウム合金、チタン合金、マグネシウム合金等であっても良い。
【００９１】
実施の形態１、２では、錘部２０、底面ブロック５０が多角錐台状である。また、実施の形態３では、錘板６０が円板状である。また、錘部材７０と８０が多角錐状と円柱状である。しかし、本発明はこれに限定されない。錘部２０、底面ブロック５０、錘板６０は、サイコロ１Ａ−１Ｃの外形である多角錐の側面の目を均等な確率で出現させるため、底面部Ｂ１−Ｂ３と平行な切断面での断面視で、底面部Ｂ１−Ｂ３と相似の形状であると良い。或いは、その断面視で、垂線Ｐを中心とする円の形状であると良い。これにより、上記錘部の重心を垂線Ｐが通ると良い。例えば、錘板６０は、円柱状であっても良い。また、底面部Ｂ３と相似形の底面を有する多角柱であっても良い。この場合、多角柱の各側面は、上記多角錐の側面の目を均等な確率で出現させるため、その多角錐の各側面と対向すると良い。
【００９２】
実施の形態１−３では、サイコロ１Ａ−１Ｃが２又は３つの部品で構成されているが、本発明では、部品の数は任意である。２以上の部品を用いてサイコロ１Ａ−１Ｃを形成する場合、各部品の重心が上記垂線Ｐの上に存在すれば良い。この場合、各部品の比重を調整することにより、サイコロ１Ａ−１Ｃ全体の重心の位置を変化させて特定の目の出現確率を変えることができる。この場合、サイコロ１Ａ−１Ｃ全体の重心に対する正多角錐の各面の立体角を求めることで、各面の目の出現確率を求めることができる。
【００９３】
実施の形態１−３では、サイコロ１Ａ−１Ｃがカードゲーム、くじ、ボードゲームに使用されているが、本発明では、サイコロ１Ａ−１Ｃは、乱数を必要とする各種ゲーム、くじ、占い等に使用可能である。このため、その使用目的に応じて、サイコロ１Ａ−１Ｃの目は、数字、文字、記号、絵等に変更すると良い。
【符号の説明】
【００９４】
１Ａ−１Ｃ…サイコロ、１０…芯部、２０…錘部、３０、３５…枠体、４０…頂点ブロック、４５…磁石、５０…底面ブロック、６０…錘板、６１、７１、８１…凹部、６２…ネジ部、６３…ネジ孔、６４…小凹部、６５…挿入口、７０、８０…錘部材、９１…空洞、９２…ネジ孔、Ｂ１−Ｂ３…底面部、ＢＡ…底辺、Ｃ…中心、ＣＧ０、ＣＧ１、ＣＧ２、ＣＧ４、ＣＧ５…重心、Ｄ…深さ、Ｆ１１−Ｆ１４、Ｆ２１−Ｆ２３、Ｆ３１−Ｆ３６…側面部、Ｈ、ＨＴ…高さ、Ｌ…下側分割空間、Ｐ…垂線、ＰＬ…平面、Ｔ…厚み、Ｕ…上側分割空間、Ｖ１１、Ｖ２１−Ｖ２４、Ｖ３１…頂点
【図１】
2020195762.tif 000003
【図２】
2020195762.tif 000004
【図３】
2020195762.tif 000005
【図４】
2020195762.tif 000006
【図５Ａ】
2020195762.tif 000007
【図５Ｂ】
2020195762.tif 000008
【図６】
2020195762.tif 000009
【図７】
2020195762.tif 000010
【図８】
2020195762.tif 000011
【図９】
2020195762.tif 000012
【図１０Ａ】
2020195762.tif 000013
【図１０Ｂ】
2020195762.tif 000014
【図１１】
2020195762.tif 000015
【図１２】
2020195762.tif 000016
【図１３】
2020195762.tif 000017
【図１４】
2020195762.tif 000018
【図１５Ａ】
2020195762.tif 000019
【図１５Ｂ】
2020195762.tif 000020
【図１５Ｃ】
2020195762.tif 000021
【手続補正書】
【提出日】令和2年5月13日(2020.5.13)
【手続補正１】
【補正対象書類名】明細書
【補正対象項目名】００１４
【補正方法】変更
【補正の内容】
【００１４】
上記の目的を達成するため、本発明に係るサイコロは、
正多角形状の底面及び、該底面に対向する頂点を有し、正四面体を除く正多角錐の形状に形成されたサイコロであって、
前記正多角錐の外形を画定する外郭部の内部空間の一部を充填する芯部と、
前記外郭部の内部空間の残りの部分を充填し、前記芯部を形成する材料よりも比重が大きい材料で形成された錘部と、
を備え、
前記芯部の重心と前記錘部の重心は、前記頂点と前記底面の中心とを結ぶ垂線上にあり、前記芯部と前記錘部とを合わせた全体の重心は、前記正多角錐本来の重心よりも前記頂点の側又は前記底面の側に位置することを特徴とする。
【手続補正２】
【補正対象書類名】明細書
【補正対象項目名】００１５
【補正方法】変更
【補正の内容】
【００１５】
例えば、前記サイコロは、
前記正多角錐を前記底面と平行な平面で分割した場合の、前記平面よりも前記頂点の側の部分を形成する頂点部と、
前記平面よりも前記底面の側の部分を形成する底面部と、
を備え、
前記頂点部と前記底面部のいずれか一方は、前記錘部であり、
前記頂点部と前記底面部のいずれか他方は、前記垂線上に重心があり、前記錘部を引きつけて前記錘部を取り付ける磁石を有しても良い。
【手続補正３】
【補正対象書類名】明細書
【補正対象項目名】００１６
【補正方法】変更
【補正の内容】
【００１６】
或いは、前記サイコロは、
前記正多角錐を前記底面と平行な平面で分割した場合の、前記平面よりも前記頂点の側の部分を形成する頂点部と、
前記平面よりも前記底面の側の部分を形成する底面部と、
を備え、
前記頂点部と前記底面部のいずれか一方は、前記錘部であり、かつネジ部を有し、
前記頂点部と前記底面部のいずれか他方は、前記垂線と同軸のネジ孔を有し、該ネジ孔に前記ネジ部がねじ込まれることにより、前記錘部が取り付けられていても良い。
【手続補正４】
【補正対象書類名】明細書
【補正対象項目名】００１７
【補正方法】変更
【補正の内容】
【００１７】
前記錘部は、前記サイコロの前記正多角錐と相似形かつ縮小形であり、前記錘部が有する頂点とその底面を直線で結んだ場合に、その直線が、前記垂線と重なり、前記錘部が有する側面が、前記サイコロの前記正多角錐が有する側面と平行であっても良い。また、前記芯部は、前記垂線と同軸の円筒状の空洞を有し、前記錘部は、円柱状に形成され、前記空洞に嵌合しても良い。さらに、前記芯部を形成する材料は、合成樹脂であり、前記錘部を形成する材料は、該合成樹脂と、該合成樹脂に混ぜられた、該合成樹脂よりも密度が高いフィラーとよって構成されていても良い。
【手続補正５】
【補正対象書類名】特許請求の範囲
【補正対象項目名】全文
【補正方法】変更
【補正の内容】
【特許請求の範囲】
【請求項１】
正多角形状の底面及び、該底面に対向する頂点を有し、正四面体を除く正多角錐の形状に形成されたサイコロであって、
前記正多角錐の外形を画定する外郭部の内部空間の一部を充填する芯部と、
前記外郭部の内部空間の残りの部分を充填し、前記芯部を形成する材料よりも比重が大きい材料で形成された錘部と、
を備え、
前記芯部の重心と前記錘部の重心は、前記頂点と前記底面の中心とを結ぶ垂線上にあり、前記芯部と前記錘部とを合わせた全体の重心は、前記正多角錐本来の重心よりも前記頂点の側又は前記底面の側に位置するサイコロ。
【請求項２】
前記正多角錐を前記底面と平行な平面で分割した場合の、前記平面よりも前記頂点の側の部分を形成する頂点部と、
前記平面よりも前記底面の側の部分を形成する底面部と、
を備え、
前記頂点部と前記底面部のいずれか一方は、前記錘部であり、
前記頂点部と前記底面部のいずれか他方は、前記垂線上に重心があり、前記錘部を引きつけて前記錘部を取り付ける磁石を有する、
請求項１に記載のサイコロ。
【請求項３】
前記正多角錐を前記底面と平行な平面で分割した場合の、前記平面よりも前記頂点の側の部分を形成する頂点部と、
前記平面よりも前記底面の側の部分を形成する底面部と、
を備え、
前記頂点部と前記底面部のいずれか一方は、前記錘部であり、かつネジ部を有し、
前記頂点部と前記底面部のいずれか他方は、前記垂線と同軸のネジ孔を有し、該ネジ孔に前記ネジ部がねじ込まれることにより、前記錘部が取り付けられる、
請求項１に記載のサイコロ。
【請求項４】
前記錘部は、前記サイコロの前記正多角錐と相似形かつ縮小形であり、
前記錘部が有する頂点とその底面を直線で結んだ場合に、その直線が、前記垂線と重なり、前記錘部が有する側面が、前記サイコロの前記正多角錐が有する側面と平行である、
請求項１に記載のサイコロ。
【請求項５】
前記芯部は、前記垂線と同軸の円筒状の空洞を有し、
前記錘部は、円柱状に形成され、前記空洞に嵌合する、
請求項１に記載のサイコロ。
【請求項６】
前記芯部を形成する材料は、合成樹脂であり、
前記錘部を形成する材料は、該合成樹脂と、該合成樹脂に混ぜられた、該合成樹脂よりも密度が高いフィラーとよって構成されている、
請求項１から５のいずれか１項に記載のサイコロ。